(57)【要約】【課題】  天板後端と幕板の上端部間に上部開口部を設け、上部開口部に、幕板上端との間に後部開口部を設けて配線カバーを開閉可能に装着し、その下方に配線受け具を設けてなる配線機構部を備えた机において、配線カバーの撓みを防止すること、机の背後からの配線コードの処理が可能であること、背後からの外観性に優れ、背面合わせで設置した前後の机間に渡って配線コードを通すことが可能である配線機能付き机の配線カバー支持装置を提供する。【解決手段】  配線受け具１１には、下部にコード受け部１８を設け、上端部に上方へ突出した突出部２０を設け、突出部で配線カバー１０の下端を間接的又は直接的に当止する。係合部１５と後部開口部１３を塞ぐ軟質部１６と前側にフック片１７を形成したエッジ部材１４の係合部を幕板に係合し、配線受け具は上端部にフック片に係止する係止部１９を設けた。【選択図】        図６
2012045111.tif 000002
【特許請求の範囲】
【請求項１】
天板後端と幕板の上端部間に上部開口部を設け、該上部開口部に、前記幕板上端との間に後部開口部を設けて配線カバーを開閉可能に装着するとともに、該配線カバーの下方に配線受け具を設けた配線機構部を備えた机において、前記配線受け具には、下部にコード受け部を設け、上端部に上方へ突出した突出部を設け、該突出部で前記配線カバーの下端を間接的又は直接的に当止することを特徴とする配線機能付き机の配線カバー支持装置。
【請求項２】
前記幕板の上端に前方へ折曲して上縁補強枠を形成するとともに、該幕板の上縁補強枠と配線カバーの間に後部開口部を設け、前記上縁補強枠に前記配線受け具を直接的又は間接的に取付けてなる請求項１記載の配線機能付き机の配線カバー支持装置。
【請求項３】
前記上縁補強枠に係合する係合部と前記後部開口部を塞ぐ中空状の軟質部とを有するとともに、前記係合部の前面側にフック片を形成したエッジ部材を幕板の上縁補強枠に装着し、前記配線受け具は下部にコード受け部と上端部に前記フック片に係止する係止部を設けるとともに、該係止部の上方に前記突出部を設け、前記配線受け具の係止部を前記エッジ部材のフック片に係脱可能に係止してなる請求項１又は２記載の配線機能付き机の配線カバー支持装置。
【請求項４】
前記配線受け具の係止部を前記エッジ部材のフック片に係脱可能に係止した状態で、前記突出部の上端が前記軟質部の上端よりも下方に位置し、該軟質部の一部を介在させて前記突出部で前記配線カバーの下端を間接的に当止してなる請求項１〜３何れか１項に記載の配線機能付き机の配線カバー支持装置。
【請求項５】
前記エッジ部材を前記幕板の上縁補強枠の全長にわたり装着するとともに、前記配線受け具の横幅を前記幕板の横幅より狭く設定し、複数の配線受け具を前記エッジ部材に並べて係止してなる請求項１〜４何れか１項に記載の配線機能付き机の配線カバー支持装置。
【請求項６】
両側の天板支持脚の後端間に前記幕板を設け、該幕板の上縁補強枠に取付けた前記エッジ部材に複数の前記配線受け具を設け、エッジ部材から外した配線受け具の上端の突出部を、他の配線受け具のコード受け部の下面に形成した係合溝に係合し、少なくとも二つの配線受け具を上下に配設してなる請求項１〜５何れか１項に記載の机の配線装置。
【発明の詳細な説明】
【技術分野】
【０００１】
本発明は、配線機能付き机の配線カバー支持装置に係わり、更に詳しくは机の後部に設けた配線機構部の配線カバーを支持する装置に関するものである。
【背景技術】
【０００２】
従来から机の天板後端と幕板の上端との間に配線機構部を設け、該配線機構部の上部開口部に開閉可能な配線カバーを設けるとともに、配線機構部内に配線受け具を設けた構造の机は各種提供されている。通常、このような配線機能を備えた机は、天板の後端が幕板よりも前方位置にあり、天板の後端と幕板の上端間を配線カバーで閉塞している。そして、机上で使用する電気電子機器に対する電源コードや通信ケーブルを、配線カバーを開いて配線機構部内に落とし込み、配線受け具で受けることができる。また、配線カバーを閉じたまま机上と配線機構部間を通線できるように、配線カバーの遊端部に可撓性の軟質部材を設けていることも一般的である。更に、側方へ複数の机を並べて設置した場合には、隣り合う机に渡って配線できるように、互いの配線機構部の側方を開放できるようになっている。
【０００３】
しかし、前述の配線機能を備えた机は、後方への配線コードの引き出しに若干の問題がある。つまり、机の背面に配線用開口部を設ける場合、幕板の上端と配線カバーとの間に隙間を設けるか、あるいは幕板の上端部に部分的に切欠部を設ける必要があるが、前者の場合には配線カバーのスパンが広いと該配線カバーの中間部に上方から力が加わると撓むといった問題があり、後者の場合には後方配線しないときには机の背面の外観性を損なうので、切欠部を塞ぐ何らかの手段を講じる必要があるばかりでなく、幕板の加工が複雑になってコスト高となる。
【０００４】
特許文献１には、机の後端まで天板が延び、該天板の後端部の下方にコード挿通用の隅間を設けて幕板を取付けるとともに、該幕板の上端に前方へ折曲して形成した上縁補強枠に、配線受け具の上部背面に突設した上下挟持片を着脱可能に係合し、机の後方から前記隙間を通して押し込んだ配線コードを配線受け具のコード受け部で受ける構造の配線受け装置が開示されている。ここで、配線受け具の上方挟持片の基部から上方の天板裏面に向けて可撓性の軟質片を垂設し、後方から内部が見えないように隠蔽している。
【０００５】
また、特許文献２には、両側の天板支持脚の後端上部に上部フレームを横設し、前記天板の後端と上部フレーム間にコード挿通用の上部開放部を形成し、該上部開放部を閉塞する閉塞部材を上部フレームに係合するとともに、該上部フレームの下方には幕板を上部フレームと嵌合した状態と、上部フレームとの間に後部開放部を設けた状態で付け替え可能にネジ止めし、そして幕板が上部フレームに嵌合した状態で配線受け具の後端上部を上部フレームに係止し、幕板と上部フレーム間に後部開放部を形成した状態で配線受け具の後端上部を幕板の上端部に係止する構造が開示されている。
【０００６】
しかし、特許文献１に記載の構造では、天板下の足入れ空間にワゴンデスクを押し込み格納する際に、配線受け具が邪魔になる場合があり、その場合には少なくとも対応箇所の配線受け具を除去するか、あるいは最初からその部分には配線受け具を設けない等の処置が必要であり、そうするとコード挿通用の隅間を軟質片で隠蔽するといったことができなくなる。また、机の後方からコード挿通用の隅間から配線コードを挿入して配線受け具に収容することができるものの、前後に机を背面合わせで設置した場合には、机上からの作業のみで前後の机間に渡って配線コードを通すことはできない。一方、特許文献２に記載の構造では、強度の高い上部フレームが必要になること、幕板を上下に付け替える作業が必要であることから、構造が複雑になってコスト高となるとともに、幕板の付け替え作業に手間がかかる。更に、前記同様に、前後に机を背面合わせで設置した場合には、上部フレームが邪魔になって机上からの作業のみで前後の机間に渡って配線コードを通す作業が難しくなる。
【先行技術文献】
【特許文献】
【０００７】
【特許文献１】実公平５−２２０９８号公報
【特許文献２】特許第４４０９２５４号公報
【発明の概要】
【発明が解決しようとする課題】
【０００８】
そこで、本発明が前述の状況に鑑み、解決しようとするところは、天板後端と幕板の上端部間に上部開口部を設け、該上部開口部に、前記幕板上端との間に後部開口部を設けて配線カバーを開閉可能に装着するとともに、該配線カバーの下方に配線受け具を設けてなる配線機構部を備えた机において、配線カバーの撓みを防止することが可能であり、また机の背後からの配線コードの処理が可能であるとともに、如何なる状況においても背後からの外観性に優れ、また背面合わせで設置した前後の机間に渡って机上からの作業のみで配線コードを通すことが可能である配線機能付き机の配線カバー支持装置を提供する点にある。
【課題を解決するための手段】
【０００９】
本発明は、前述の課題解決のために、天板後端と幕板の上端部間に上部開口部を設け、該上部開口部に、前記幕板上端との間に後部開口部を設けて配線カバーを開閉可能に装着するとともに、該配線カバーの下方に配線受け具を設けた配線機構部を備えた机において、前記配線受け具には、下部にコード受け部を設け、上端部に上方へ突出した突出部を設け、該突出部で前記配線カバーの下端を間接的又は直接的に当止することを特徴とする配線機能付き机の配線カバー支持装置を構成した（請求項１）。
【００１０】
ここで、前記幕板の上端に前方へ折曲して上縁補強枠を形成するとともに、該幕板の上縁補強枠と配線カバーの間に後部開口部を設け、前記上縁補強枠に前記配線受け具を直接的又は間接的に取付けてなることが好ましい（請求項２）。
【００１１】
そして、前記上縁補強枠に係合する係合部と前記後部開口部を塞ぐ中空状の軟質部とを有するとともに、前記係合部の前面側にフック片を形成したエッジ部材を幕板の上縁補強枠に装着し、前記配線受け具は下部にコード受け部と上端部に前記フック片に係止する係止部を設けるとともに、該係止部の上方に前記突出部を設け、前記配線受け具の係止部を前記エッジ部材のフック片に係脱可能に係止してなることがより好ましい（請求項３）。
【００１２】
また、前記配線受け具の係止部を前記エッジ部材のフック片に係脱可能に係止した状態で、前記突出部の上端が前記軟質部の上端よりも下方に位置し、該軟質部の一部を介在させて前記突出部で前記配線カバーの下端を間接的に当止してなることがより好ましい（請求項４）。
【００１３】
また、前記エッジ部材を前記幕板の上縁補強枠の全長にわたり装着するとともに、前記配線受け具の横幅を前記幕板の横幅より狭く設定し、複数の配線受け具を前記エッジ部材に並べて係止してなることも好ましい（請求項５）。
【００１４】
そして、両側の天板支持脚の後端間に前記幕板を設け、該幕板の上縁補強枠に取付けた前記エッジ部材に複数の前記配線受け具を設け、エッジ部材から外した配線受け具の上端の突出部を、他の配線受け具のコード受け部の下面に形成した係合溝に係合し、少なくとも二つの配線受け具を上下に配設してなることも好ましい（請求項６）。
【発明の効果】
【００１５】
以上にしてなる請求項１に係る発明の配線機能付き机の配線カバー支持装置は、天板後端と幕板の上端部間に上部開口部を設け、該上部開口部に、前記幕板上端との間に後部開口部を設けて配線カバーを開閉可能に装着するとともに、該配線カバーの下方に配線受け具を設けた配線機構部を備えた机において、前記配線受け具には、下部にコード受け部を設け、上端部に上方へ突出した突出部を設け、該突出部で前記配線カバーの下端を間接的又は直接的に当止するので、配線カバーのスパンが長くても撓みを防止することができるとともに、配線受け具は下部にコード受け部を有しているので、本来の配線コードを受ける機能を果たすのである。また、前記突出部は、配線受け具の全長に必要であるものではないので、部分的に切欠してその部分をコード挿通部として利用することも可能である。
【００１６】
請求項２によれば、前記幕板の上端に前方へ折曲して上縁補強枠を形成するとともに、該幕板の上縁補強枠と配線カバーの間に後部開口部を設け、前記上縁補強枠に前記配線受け具を直接的又は間接的に取付けてなるので、前記配線受け具を強度の高い幕板の上縁補強枠を利用して取付けるので、前記配線カバーの撓みを確実に防止することができる。
【００１７】
請求項３によれば、前記上縁補強枠に係合する係合部と前記後部開口部を塞ぐ中空状の軟質部とを有するとともに、前記係合部の前面側にフック片を形成したエッジ部材を幕板の上縁補強枠に装着し、前記配線受け具は下部にコード受け部と上端部に前記フック片に係止する係止部を設けるとともに、該係止部の上方に前記突出部を設け、前記配線受け具の係止部を前記エッジ部材のフック片に係脱可能に係止してなるので、前記エッジ部材のフック片に配線受け具の係止部を係止するだけで、配線機構部内にコード受け部を設けることができ、そして前記配線受け具あるいは突出部が存在しない位置では、エッジ部材の軟質部を弾性変形させて机の背後から配線コードを挿通することが可能であるとともに、配線コードを挿通しない箇所の軟質部によって幕板の上縁補強枠と配線カバーの間に設けた後部開口部を塞ぐことができるので、背後からの外観性に優れている。また、エッジ部材の軟質部は中空状としたので、保形性が良く、配線コードによって変形された箇所以外の部分は元の形状に保たれる。また、ワゴンデスクを天板下に押し込み格納する場合に、邪魔になる場合には配線受け具を簡単に取り外すことができる。更に、配線受け具あるいは突出部が存在しない位置では、背面合わせに設置した前後の机間に渡ってエッジ部材の軟質部を変形させて配線コードを配線することができ、その作業は配線カバーを開放した状態で机上から簡単に行うことができる。
【００１８】
請求項４によれば、前記配線受け具の係止部を前記エッジ部材のフック片に係脱可能に係止した状態で、前記突出部の上端が前記軟質部の上端よりも下方に位置し、該軟質部の一部を介在させて前記突出部で前記配線カバーの下端を間接的に当止してなるので、前記エッジ部材の軟質部で後部開口部を確実に遮蔽することができ、また軟質部の一部を介在させて突出部で配線カバーの下端を間接的に当止するので、配線カバーの閉止時に接触音が発生せず、またガタつきなく支持することができる。
【００１９】
請求項５によれば、前記エッジ部材を前記幕板の上縁補強枠の全長にわたり装着するとともに、前記配線受け具の横幅を前記幕板の横幅より狭く設定し、複数の配線受け具を前記エッジ部材に並べて係止してなるので、ワゴンデスクを天板下に押し込み格納する場合に、邪魔になる配線受け具を簡単に外すことができ、また配線受け具が存在しない部分の軟質部を変形させて配線コードを通すことができる。
【００２０】
請求項６によれば、両側の天板支持脚の後端間に前記幕板を設け、該幕板の上縁補強枠に取付けた前記エッジ部材に複数の前記配線受け具を設け、エッジ部材から外した配線受け具の上端の突出部を、他の配線受け具のコード受け部の下面に形成した係合溝に係合し、少なくとも二つの配線受け具を上下に配設してなるので、天板下へワゴンデスクを押し込み格納する際に、邪魔になる配線受け具を外して、邪魔にならない位置の配線受け具の下方に連結することができる。
【図面の簡単な説明】
【００２１】
【図１】本発明の配線機能付き机の配線カバー支持装置を適用した机の正面図である。
【図２】同じく机の側面図である。
【図３】本発明の配線機能付き机の配線カバー支持装置の第１実施形態を示す部分断面図である。
【図４】同じく幕板にエッジ部材と配線受け具を取付ける構造を示し、（ａ）は初期段階の部分断面図、（ｂ）は中間段階の部分断面図、（ｃ）は最終段階の部分断面図である。
【図５】配線カバーを装着する状態を示す部分分解断面図である。
【図６】本実施形態の配線カバー支持装置における配線カバーを閉じた使用状態を示す部分断面図である。
【図７】本実施形態の配線カバー支持装置における配線カバーを開いた使用状態を示す部分断面図である。
【図８】外した配線受け具を他の配線受け具の下方に連結した状態の部分断面図である。
【図９】配線カバーの部分分解斜視図である。
【図１０】配線カバーの開閉機構部を示す分解斜視図である。
【図１１】スパンが長い配線カバーを左右に分割配置する場合の中間開閉機構部を示す分解斜視図である。
【図１２】本発明の配線機能付き机の配線カバー支持装置の第２実施形態を示す部分断面図である。
【図１３】同じく前後に背面合わせで設置した机における配線装置の使用形態を示す部分断面図である。
【図１４】同じく外した配線受け具を他の配線受け具の下方に連結した状態の部分断面図である。
【発明を実施するための形態】
【００２２】
次に、添付図面に示した実施形態に基づき、本発明を更に詳細に説明する。図１及び図２は本発明の机の配線装置を適用した机を示し、図３〜図８は本発明の第１実施形態を示し、図９〜図１１は配線カバー及びその開閉機構部を示し、図１２〜図１４は本発明の第２実施形態を示し、図中符号１は机、２は脚部材、３は袖キャビネット、４は幕板、５は天板、６は配線機構部、７はバックパネル、８はサイドパネルをそれぞれ示している。
【００２３】
本発明に係る机１は、片袖タイプを示し、一側に脚部材２を配し、他側に袖キャビネット３を配し、脚部材２と袖キャビネット３の後端部側面間に幕板４を連結し、そして脚部材２と袖キャビネット３の上面に天板５を連結したものである。平机タイプでは、両側に脚部材２，２を配設し、両袖タイプでは両側に袖キャビネット３，３を配置する。また、前記天板５の後端と前記幕板４の間には配線機構部６が設けられている。更に、机１の天板５の後端部にはバックパネル７を設けたり、一側又は両側にサイドパネル８を設けることもある。本発明において、天板支持脚は前記脚部材２と袖キャビネット３が対応する。
【００２４】
本発明の配線機能付き机の配線カバー支持装置は、図３、図５及び図６に示すように、
天板５後端と幕板４の上端部間に上部開口部９を設け、該上部開口部９に、前記幕板４上端との間に後部開口部１３を設けて配線カバー１０を開閉可能に装着するとともに、該配線カバー１０の下方に配線受け具１１を設けた配線機構部６を備えた机において、前記配線受け具１１には、下部にコード受け部１８を設け、上端部に上方へ突出した突出部２０を設け、該突出部２０で前記配線カバー１０の下端を間接的又は直接的に当止するものである。
【００２５】
更に詳しくは、前記幕板４の上端に前方へ折曲して上縁補強枠１２を形成するとともに、該幕板４の上縁補強枠１２と配線カバー１０の間に後部開口部１３を設け、前記上縁補強枠１２に前記配線受け具１１を直接的又は間接的に取付けた。そして、前記上縁補強枠１２に係合する係合部１５と前記後部開口部１３を塞ぐ中空状の軟質部１６とを有するとともに、前記係合部１５の前面側にフック片１７を形成したエッジ部材１４を幕板４の上縁補強枠１２に装着し、前記配線受け具１１は下部にコード受け部１８と上端部に前記フック片１７に係止する係止部１９を設けるとともに、該係止部１９の上方に前記突出部２０を設け、前記配線受け具１１の係止部１９を前記エッジ部材１４のフック片１７に係脱可能に係止するのである。
【００２６】
また、本実施形態では、前記配線受け具１１の係止部１９を前記エッジ部材１４のフック片１９に係脱可能に係止した状態で、前記突出部２０の上端が前記軟質部１６の上端よりも下方に位置し、該軟質部１６の一部を介在させて前記突出部２０で前記配線カバー１０の下端を間接的に当止してなるのである。しかし、前記配線受け具１１の突出部２０で前記配線カバー１０の下端を直接的に当止する構造でも、該配線カバー１０の撓み防止の目的は達成できる。
【００２７】
ここで、両側の天板支持脚の後端間、つまり脚部材２と袖キャビネット３の側面後端間に前記幕板４を設け、該幕板４の上縁補強枠１２の全長に取付けた前記エッジ部材１４に、横幅が前記幕板４の横幅より狭く設定した複数の前記配線受け具１１，１１を並べて係止して設けるようにしている。そして、前記エッジ部材１４から外した配線受け具１１の上端の突出部２０を、他の配線受け具１１のコード受け部１８の下面に形成した係合溝２１に係合し、少なくとも二つの配線受け具１１，１１を上下に配設できるようにしている。具体的には、前記突出部２０は断面略Ｔ字形であり、それに応じて前記係合溝２１は開口部が狭く、奥部が広がった断面略Ｔ字形の溝形状に形成し、突出部２０と係合溝２１は同一垂線上に形成している。
【００２８】
更に詳しくは、前記エッジ部材１４は、図３及び図４に示すように、硬質合成樹脂からなる係合部１５には、後方へ開放した凹溝部２２と、該凹溝部２２の内部で下側面に前記幕板４の上縁補強枠１２の下側折り返し片２３に係止する係止段部２４とを備え、該係合部１５の上部に軟質合成樹脂からなる中空状の軟質部１６を二色成形によって一体形成している。前記軟質部１６は、断面が倒コ字形、あるいはΠ字形の保形部２５と、該保形部２５の上端から前方へ延びた舌片２６とからなり、前記保形部２５と係合部１５の上面とで断面四角筒状となっている。前記エッジ部材１４は、前記係合部１５を前記幕板４の上縁補強枠１２に係合させ、該幕板４の全長にわたり装着する。そして、前記配線受け具１１の係止部１９をエッジ部材１４のフック片１７に係止するとともに、前記コード受け部１８の背面に突設した当止部２７を前記幕板４の前面に当止した状態で、前記突出部２０の上端と前記配線カバー１０の下端間に前記舌片２６が位置するようにしている。
【００２９】
前記幕板４の上縁補強枠１２は、表面板２８の上縁を前方に直角に折曲して上板２９を形成し、該上板２９の前縁を下方へ直角に折曲して前板３０を形成し、それから前板３０の下縁を後方へ直角に折曲して前記折り返し片２３を形成した形状である。そして、前記上縁補強枠１２を包み込むように前記係合部１５の凹溝部２２に係合し、前記折り返し片２３の後端を段部となした前記係止段部２４に係止し、抜止め係合するようになっている。
【００３０】
図３及び図４に基づいて、前記エッジ部材１４に配線受け具１１を係止する構造を更に詳しく説明する。前記配線受け具１１の係止部１９を設けた部分は、前記エッジ部材１４の係合部１５の前側一部に外嵌する断面略コ字形の嵌合溝３１となっており、前記係止部１９は嵌合溝３１の上壁面の前後中央部から垂下した突片で構成し、また嵌合溝３１の下壁面の後端部には凹部３２を形成し、前記エッジ部材１４の係合部１５の前側下端に突設した突条３３に係合するようになっている。先ず、図４（ａ）に示すように、前記配線受け具１１を後傾した状態で、前記突出部２０の上端を前記エッジ部材１４の舌片２６の下側に圧接して軟質部１６を変形させながら、配線受け具１１の嵌合溝３１にエッジ部材１４のフック片１７を受け入れる。それから、図４（ｂ）に示すように、配線受け具１１の係止部１９をフック片１７に係止するとともに、嵌合溝３１の上壁面の後端をエッジ部材１４の係合部１５の上面に接触させる。最後に、図４（ｃ）に示すように、前記配線受け具１１を起こしながら嵌合溝３１の下壁面の凹部３２を、エッジ部材１４の係合部１５の下端の突条３３に係合する。この状態で、前記エッジ部材１４の軟質部１６は元の形状に復元する。また、前記配線受け具１１のコード受け部１８の背面に突設した当止部２７が、前記幕板４の表面板２８の前面に当止し、コード受け部１８を水平な正確な姿勢に維持するのである。
【００３１】
前記配線受け具１１は、合成樹脂製の押し出し成形品であり、適宜な長さに切断して使用する。本実施形態では、ワゴンデスクの横幅より若干短い約３００ｍｍの長さに設定し、それを複数個前記幕板４に装着したエッジ部材１４に係止して使用する。隣接する配線受け具１１，１１の間に間隔を設けた場合には、その間の対応するエッジ部材１４の軟質部１６を弾性変形させて配線コードを通すことが可能である。また、前記配線カバー１０の撓み防止機能を損なわない程度に、前記配線受け具１１の突出部２０を部分的に切欠して、コード挿通用の開口部を設けることも可能である。
【００３２】
図５〜図７は、机１の後方を開放した配置であり、そして前記バックパネル７を設けた使用形態である。つまり、机１の後方は通路となっており、背後から机１を見る機会が多い使用形態である。この場合、前記エッジ部材１４の軟質部１６によって、前記幕板４の上端と配線カバー１０の下端間に設けた後部開口部１３を常に塞いでいるので、配線機構部６の内部が隠蔽され、外観性を損なうことがないのである。ここで、前記バックパネル７を設けない使用形態もある。前記配線カバー１０の両側端部は後述の開閉機構部で開閉可能に支持されているが、その中間部で後端部下方には後部開口部１３を設けて幕板４を取付けているので、このまま配線カバー１０の後端部に上方から凭れかかるなどの下向きの力が作用すると、該配線カバー１０は下方へ大きく撓んで破損する可能性がある。そこで、本発明では、このような使用形態の場合に、前記配線受け具１１の突出部２０で配線カバー１０の後部下端を当止し、撓みを防止するようにしたのである。
【００３３】
一方、前後に机１，１を背面合わせに設置する場合には、前後の境界部分に前記バックパネル７を配置して、互いに机１に着座している人から反対側に着座している人が見えない方が仕事に集中できる。このような机１の後端部にバックパネル７を設ける場合に、前後の机１，１に渡って配線コードを配線するには、配線機構部６に対して着脱可能とした前記配線カバー１０を外して、前記バックパネル７の下方を開放するのである。この状況になれば、机上からの作業のみで、前後の机１，１に渡って配線コードを配線できる。
【００３４】
図８に示すように、複数の配線受け具１１，…のうち、少なくとも一つを幕板４の上縁補強枠１２に装着したエッジ部材１４から外し、その外した配線受け具１１の上端の突出部２０を他の配線受け具１１の係合溝２１に側方からスライド係合させて複数の配線受け具１１，１１を上下に配設することも可能である。このような状況は、前記脚部材２と袖キャビネット３間、あるいは両脚部材２，２間の足入れ空間部に移動可能なワゴンデスク（図示せず）を押し込み格納する際に、該ワゴンデスクの奥行幅が広く背後に配線受け具１１が存在すると前端部が天板５から前方へ突出する場合に生じる。つまり、ワゴンデスクの押し込み格納場所に対応する配線受け具１１を外し、隣接する他の配線受け具１１の下方に付け替えるのである。また、前記配線受け具１１を外したエッジ部材１４の部分は、前記突出部２０が存在しないので、軟質部１６を変形させれば、前記後部開口部１３を利用して簡単に配線コードを通すことができる。
【００３５】
次に、図６〜図７、図９〜図１１に基づいて、前記配線カバー１０の開閉機構の具体的構造を説明する。前記配線カバー１０は、前記配線機構部６の上部開口部９を開閉すべく、両端部を端部支承具３４，３４で回転可能に支持するとともに、該端部支承具３４に対して着脱を容易にした構造である。また、前記配線カバー１０は、水平な閉止状態と略垂直な開放状態とに弾性的に状態保持できるようになっている。
【００３６】
図９に示すように、前記配線カバー１０は、金属製の板金加工品あるいはアルミニウム又は合成樹脂の押出し成形品からなるカバー本体３５の両端に、合成樹脂製の端部材３６，３６を取付けて構成している。本実施形態のカバー本体３５は、板金加工品であり、前記配線機構部６の上部開口部９を塞ぐ閉塞板３７の後端部に下方斜め前方に向いた傾斜板３８を形成するとともに、該傾斜板３８の前縁に立上片３９を形成し、閉塞板３７の前縁に断面略Ｚ字形に折曲した前片４０を形成し、曲げ強度を高めた構造としている。そして、前記カバー本体３５の前片４０には合成樹脂製の縁部材４１を嵌着し、また前記立上片３９の切断縁を隠蔽するように合成樹脂製の保護部材４２を嵌着している。前記縁部材４１は、前方へ張り出した軟質片４３を二色成形によって一体形成している。前記配線カバー１０を閉じた状態でも、前記軟質片４３が変形して前記天板５の後端との間に配線コードを引き出せるようにしている。前記カバー本体３５の端部に嵌着する端部材３６は、前記閉塞板３７、傾斜板３８及び前片４０で形成される空間内に嵌合する嵌合部４４と、カバー本体３５の側端縁を覆う鍔部４５を形成している。
【００３７】
そして、前記端部材３６の外側面の後部には、下方斜め後方に解放した傾斜溝４６を形成するとともに、該傾斜溝４６の下方開放側の下側に第１係合凹部４７と上側に弾性的な第２係合凹部４８を形成し、更に外側面の前後中央部には下方へ向いた弾性的なリップ片４９を形成している。両側の端部材３６，３６は、反対称形である。一方、前記端部支承具３４は、前記脚部材２の上面後端部あるいは前記袖キャビネット３の上面の外側後端部に取付けて、両側の端部支承具３４，３４間に配置した前記配線カバー１０を開閉可能に支持する。具体的には、図１０に示すように、前記端部支承具３４の内側面後部には、上側に前記傾斜溝４６に係合して配線カバー１０を回動可能に支持する軸部５０を突設するとともに、その下方に前記第１係合凹部４７又は第２係合凹部４８に係合する規制ピン５１を突設し、更に内側面中央部には配線カバー１０の閉止時に前記リップ片４９の先端部を係止する突部５２と、該リップ片４９を突部５２まで案内する円弧状の案内部５３を形成している。
【００３８】
そして、図５に示すように、前記配線カバー１０の両側の端部材３６，３６に形成した傾斜溝４６，４６の方向を略垂直に向けた状態で、後部を上部開口部９内に落とし込むことによって、前記傾斜溝４６，４６に、両側に取付けた前記端部支承具３４，３４のそれぞれの軸部５０と規制ピン５１を受け入れ、該軸部５０を傾斜溝４６の上端部に回動可能に係合させる。その後、前記配線カバー１０を、前記軸部５０を中心に下方へ回動させて略水平状態にすると、前記規制ピン５１が第１係合凹部４７に係合するとともに、前記リップ片４９の先端部が案内部５３で案内され、該リップ片４９が弾性変形しながら突部５２を超えて該突部５２の下側に係止する。この状態で、前記配線カバー１０が配線機構部６の上部開口部９を閉止した状態を維持する（図６参照）。前記配線受け具１１の突出部２０で前記配線カバー１０の傾斜溝４６の下端を当止するのである。逆に、前記配線カバー１０を、前記軸部５０を中心に上方へ回動させて略垂直状態にすると、前記規制ピン５１が第２係合凹部４８に弾性的に係合して開放状態を維持する（図７参照）。
【００３９】
図６及び図１１に示すように、前記配線カバー１０が閉止状態で、前縁部を当止して撓みを防止するために、前記天板５の後端部の左右中間部にブロック状の中間支持部材５４を取付けて、その上面の当止部５５に前記縁部材４１を当止するようにしている。前記中間支持部材５４を天板５の後端に取付ける構造は任意であるが、本実施形態では中間支持部材５４の前側上部に前記天板５の後端下部に係合する凹陥部５６を形成し、該凹陥部５６の上部両側に上向きフック５７，５７を突設するとともに、該凹陥部５６の下部中央部に上向き係合爪５８を突設している。一方、前記天板５の後端面の適所には、前記中間支持部材５４の上向きフック５７，５７を挿入する角孔５９，５９を形成するとともに、前記天板５の下面後端部に前記上向き係合爪５８を係合する係合孔６０を形成している。
【００４０】
また、前記天板５の横幅が広く、両側の端部支承具３４，３４のスパンが広い場合には、前記配線カバー１０が長くなり過ぎるので、複数の配線カバー１０，１０に分割する。その場合、図６及び図１１に示すように、各配線カバー１０，１０の内側を回転可能に支持するために、前記中間支持部材５４に中間支承具６１を着脱可能に連結する。この中間支承具６１には、前記中間支持部材５４に連結する本体部６２の中央部から両配線カバー１０，１０を回動可能に支持する支持板６３が後方に延設されている。前記支持板６３の両側面には、前記軸部５０、規制ピン５１、突部５２及び案内部５３と同じ機能を有する軸部６４、規制ピン６５、突部６６及び案内部６７をそれぞれ形成している。また、前記中間支持部材５４に中間支承具６１を着脱可能に連結する構造は、前記天板５の後端部上方に前記バックパネル７が存在していても連結できるように、側方から互いに係合する構造とした。つまり、前記中間支持部材５４の後部には連結用凹部６８を形成するとともに、前記中間支承具６１の本体部６２の前部には、前記連結用凹部６８に側方からスライド係合する連結用凸部６９を突設している。
【００４１】
次に、図１２〜図１４に基づいて、本発明の第２実施形態を説明する。本実施形態の配線受け具７０は、下部にコード受け部７１を設け、上端部に前記幕板４の上縁補強枠１２にそれぞれ前方から着脱可能に係合する第１係合部７２Ａと第２係合部７２Ｂを上下に設け、第１係合部７２Ａを前記上縁補強枠１２に係合した状態で、前記第１係合部７２Ａと前記配線カバー１０の間にコード挿通用開口７４を設け（図１３参照）、又は第２係合部７２Ｂを前記上縁補強枠１２に係合した状態で、前記第１係合部７２Ａでコード挿通用開口７４を塞ぐようにしたものである（図１２参照）。尚、前記第１係合部７２Ａと第２係合部７２Ｂを併せて係合部７２と称する。
【００４２】
更に詳しくは、前記配線受け具７０の第１係合部７２Ａの上方に突出部７３を設け、第１係合部７２Ａを前記上縁補強枠１２に係合した状態で、前記突出部７３と前記配線カバー１０の間にコード挿通用開口７４を設け、第２係合部７２Ｂを前記上縁補強枠１２に係合した状態で、前記第１係合部７２Ａと突出部７３でコード挿通用開口７４を塞ぐとともに、前記突出部７３で前記配線カバー１０の下端を当止して、該配線カバー１０の撓みを防止するのである。
【００４３】
前記配線受け具７０は、合成樹脂製の押し出し成形品であり、適宜な長さに切断して使用する。本実施形態では、ワゴンデスクの横幅に略等しい約４００ｍｍの長さに設定し、それを複数個前記幕板４に装着して使用する。前記配線受け具７０の第１係合部７２Ａと第２係合部７２Ｂは、後方へ開放した凹溝部７５と、該凹溝部７５の内部で下側面に前記幕板４の上縁補強枠１２の下側折り返し片２３に係止する係止段部７６とを備えたものであり、更に前記コード受け部７１の背面に前記幕板４の前面に当止して姿勢を保つための当止部７７を設けている。また、前記配線受け具７０のコード受け部７１の下面に、他の前記配線受け具７０の上端の突出部７３を係合し得る係合溝７８を形成している（図１４参照）。具体的には、前記突出部７３は断面略Ｔ字形であり、それに応じて前記係合溝７８は開口部が狭く、奥部が広がった断面略Ｔ字形の溝形状に形成し、突出部７３と係合溝７８は同一垂線上に形成している。
【００４４】
図１２は、机１の後方を開放した配置であり、そして前記バックパネル７を設けない使用形態である。つまり、机１の後方は通路となっており、人が机１の後部に居る可能性のある場合である。この場合、前記配線カバー１０の両側端部は前述の端部支承具３４，３４で開閉可能に支持されているが、その中間部で後端部下方には後部開口部１３を設けて幕板４を取付けているので、このまま配線カバー１０の後端部に上方から凭れかかるなどの下向きの力が作用すると、該配線カバー１０は下方へ大きく撓んで破損する可能性がある。そこで、本実施形態では、このような使用形態の場合に、前記配線受け具７０の第２係合部７２Ｂを前記幕板４の上縁補強枠１２に係合し、前記突出部７３で配線カバー１０の後部下端を当止し、撓みを防止するようにしたのである。この状態では、第１係合部７２Ａが後部開口部１３を塞いでいるので、後方から配線コードをコード受け部４に落とし込むことはできないが、机１の後方が通路となっている場合には、前記後部開口部が閉塞され、配線機構部６の内部が隠蔽されているのは外観上において好ましい。どうしても机１の後部に配線する必要がある場合には、前記第１係合部７２Ａの後方へ開放した凹溝部７５を利用して配線することが可能である。
【００４５】
一方、図１３に示すように、前後に机１，１を背面合わせに設置する場合には、前後の境界部分に前記バックパネル７を配置して、互いに机１に着座している人から反対側に着座している人が見えない方が仕事に集中できる。このような机１の後端部にバックパネル７を設ける場合には、その部分に対応する配線カバー１０の後端部を押し付けるような力が加わる可能性は非常に少ない。その半面、前後の机１，１に渡って配線コードを配線する状況が多くなる。そこで、本発明では、このような使用形態の場合に、前記配線受け具７０の第１係合部７２Ａを前記幕板４の上縁補強枠１２に係合し、突出部７３の上方にコード挿通用開口７４を確保し、前後の机１，１のそれぞれのコード挿通用開口７４，７４が連通し、配線コードを前後の机１，１に渡って配線できるようになる。この配線作業は、それぞれの机１，１の配線カバー１０，１０を開放して上部開口部９，９を露出させることによって、机上からの作業のみで行うことができる。
【００４６】
図１４に示すように、複数の配線受け具７０，…のうち、少なくとも一つを幕板４の上縁補強枠１２から外し、その外した配線受け具７０の上端の突出部７３を他の配線受け具７０の係合溝７８に側方からスライド係合させて複数の配線受け具７０，７０を上下に配設することも可能である。このような状況は、前記脚部材２と袖キャビネット３間、あるいは両脚部材２，２間の足入れ空間部に移動可能なワゴンデスク（図示せず）を押し込み格納する際に、該ワゴンデスクの奥行幅が広く背後に配線受け具７０が存在すると前端部が天板５から前方へ突出する場合に生じる。つまり、ワゴンデスクの押し込み格納場所に対応する配線受け具７０を外し、隣接する他の配線受け具７０の下方に付け替えるのである。
【符号の説明】
【００４７】
１  机、                  ２  脚部材、
３  袖キャビネット、      ４  幕板、
５  天板、                ６  配線機構部、
７  バックパネル、        ８  サイドパネル、
９  上部開口部、          １０  配線カバー、
１１  配線受け具、        １２  上縁補強枠、
１３  後部開口部、        １４  エッジ部材、
１５  係合部、            １６  軟質部、
１７  フック片、          １８  コード受け部、
１９  係止部、            ２０  突出部、
２１  係合溝、            ２２  凹溝部、
２３  折り返し片、        ２４  係止段部、
２５  保形部、            ２６  舌片、
２７  当止部、            ２８  表面板、
２９  上板、              ３０  前板、
３１  嵌合溝、            ３２  凹部、
３３  突条、              ３４  端部支承具、
３５  カバー本体、        ３６  端部材、
３７  閉塞板、            ３８  傾斜板、
３９  立上片、            ４０  前片、
４１  縁部材、            ４２  保護部材、
４３  軟質片、            ４４  嵌合部、
４５  鍔部、              ４６  傾斜溝、
４７  第１係合凹部、      ４８  第２係合凹部、
４９  リップ片、          ５０  軸部、
５１  規制ピン、          ５２  突部、
５３  案内部、            ５４  中間支持部材、
５５  当止部、            ５６  凹陥部、
５７  上向きフック、      ５８  上向き係合爪、
５９  角孔、              ６０  係合孔、
６１  中間支承具、        ６２  本体部、
６３  支持板、            ６４  軸部、
６５  規制ピン、          ６６  突部、
６７  案内部、            ６８  連結用凹部、
６９  連結用凸部、        ７０    配線受け具、
７１  コード受け部、      ７２  係合部、
７２Ａ  第１係合部、      ７２Ｂ  第２係合部、
７３  突出部、            ７４  コード挿通用開口、
７５  凹溝部、            ７６  係止段部、
７７  当止部、            ７８  係合溝。
【図１】
2012045111.tif 000003
【図２】
2012045111.tif 000004
【図３】
2012045111.tif 000005
【図４】
2012045111.tif 000006
【図５】
2012045111.tif 000007
【図６】
2012045111.tif 000008
【図７】
2012045111.tif 000009
【図８】
2012045111.tif 000010
【図９】
2012045111.tif 000011
【図１０】
2012045111.tif 000012
【図１１】
2012045111.tif 000013
【図１２】
2012045111.tif 000014
【図１３】
2012045111.tif 000015
【図１４】
2012045111.tif 000016